(57)【要約】【課題】  繰出ローラに対するトルク伝達を安定的に行えるようにするとともに、繰出ローラが回転部材に対して滑らせる張力を一定に維持することのできる転着器のローラ支持構造を提供すること。【解決手段】ケース１１内に回転可能に支持される回転部材１６を介して繰出ローラ１２が回転可能に支持されている。繰出ローラ１２は片面に転着剤を備えたロール状のテープを繰り出し、繰り出されたテープは巻取ローラ１３に巻き取られる。回転部材１６は、繰出ローラ１２の内周に挿入される筒状体３１を含み、その先端側に複数のスロット３２を設けて繰出ローラ１２の内周面を押圧可能な複数のばね部３３が形成されている。各ばね部３３は連結部３５によって相互に連結されてばね力低下が抑制される。【選択図】図２
2011104833.tif 000002
【特許請求の範囲】
【請求項１】
ケース内に回転可能に支持された回転部材と、この回転部材を介して回転可能に設けられるとともに、片面に転着剤を備えたロール状のテープを繰出可能に支持する繰出ローラと、前記ケース内に配置されるとともに前記支持部材の回転に連動して転着済のテープを順次巻き取る巻取ローラとを備えた転着器のローラ支持構造において、
前記回転部材は、前記繰出ローラの内周に挿入される筒状体を含み、当該筒状体の前記繰出ローラへの挿入端側に複数のスロットを設けることで前記筒状体の挿入端側を径方向に弾性変位可能な複数のばね部として形成し、
相互に隣り合うばね部の先端側は、連結部を介して相互に連結されていることを特徴とする転着器のローラ支持構造。
【請求項２】
前記連結部は、前記回転部材を繰出ローラに挿入するときに、内側に変位若しくは屈曲可能に設けられていることを特徴とする請求項１記載の転着器のローラ支持構造。
【請求項３】
ケース内に回転可能に支持された回転部材と、この回転部材を介して回転可能に設けられるとともに、片面に転着剤を備えたロール状のテープを繰出可能に支持する繰出ローラと、前記ケース内に配置されるとともに前記支持部材の回転に連動して転着済のテープを順次巻き取る巻取ローラとを備えた転着器のローラ支持構造において、
前記回転部材は、前記繰出ローラの内周に挿入される筒状体を含み、当該筒状体の前記繰出ローラへの挿入端側に複数の薄肉部を設けることで前記筒状体の挿入端側を径方向に弾性変位可能な複数のばね部として形成し、
相互に隣り合うばね部の先端側は、前記弱め部を介して相互に連結されていることを特徴とする転着器のローラ支持構造。
【発明の詳細な説明】
【技術分野】
【０００１】
本発明は転着器におけるローラ支持構造に係り、更に詳しくは、繰出ローラと巻取ローラとの間のテープ張力を安定して保つことのできる転着器のローラ支持構造に関する。
【背景技術】
【０００２】
文字、記号等の隠蔽や、糊付けを行えるようにした転着器が広く普及するに至っている。このような転着器としては、ケースと、当該ケース内に配置されるとともに、片面に剥離可能な白色膜や糊膜等の転着剤を備えたテープを巻装してなる繰出ローラと、この繰出ローラをケース内で回転可能に支持する筒状体等からなる回転部材と、転着剤を被転着個所に転着させるヘッドと、当該ヘッドの先端位置で転着が行われた後のテープを順次巻き取る巻取ローラとを備えて構成されている。また、繰出ローラと巻取ローラとの間には歯車や、ゴムベルト等の連動機構が設けられており、繰出ローラに対してテープ引き出し力が加えられて繰出ローラが回転したときに、前記連動機構を介して巻取ローラが同時に回転することで転着後のテープ巻取りが可能となっている。
【０００３】
このような転着器は、テープの消費が進むにつれて繰出ローラのテープ巻径が巻取ローラのテープ巻径に対して相対的に小さくなり、繰出ローラと巻取ローラとの間のテープに必要以上の張力が発生することとなる。そこで、このような張力が発生したときに、前記繰出ローラを回転部材に対して相対的な滑りを生じさせるようにした構成が採用されるようになっている（例えば、特許文献１参照）。
【０００４】
特許文献１に記載された転着器は、繰出ローラ（供給リール）と、当該繰出ローラを回転可能に支持する回転部材（ボス軸）と、これら繰出ローラと回転部材との間に配置される二重筒状の中間連結部材とを備えて構成されている。ここで、回転部材は、筒状体により構成され、その外周に複数のすり割部を設けて複数の片部材とし、これら片部材を前記中間連結部材の内筒の外周面に弾性係合させることで、中間連結部材と繰出ローラとの間に回転トルクが伝達される一方、必要以上の張力（負荷）がテープに加えられたときに、繰出ローラを回転部材に対して相対的に滑らせるようになっている。
【先行技術文献】
【特許文献】
【０００５】
【特許文献１】特開２００３−５４１９２号公報
【発明の概要】
【発明が解決しようとする課題】
【０００６】
しかしながら、特許文献１の回転軸は、すり割部を設けて複数の片部材を形成し、当該片部材にばね性を付与する構成であり、複数の片部材が中間連結部材の内筒外周面に弾発力をもって押圧するように係合し続けると、徐々に内筒の外周面から離れるように変形し、ひいては前記中間連結部材に回転トルクを付与するためのばね力を経時的に低下させてしまう、という不都合がある。かかる不都合は、結果として内筒の外周面に対して十分且つ一定の押付力を発揮できなくなり、前述した必要以上の張力に達しない段階において、繰出ローラが滑って空転してしまうこととなり、繰出ローラと巻取ローラとの間のテープに弛みを発生して転着不良をもたらしてしまう、という不都合を招来する。
【０００７】
［発明の目的］
本発明は、このような不都合に着目して案出されたものであり、その目的は、回転部材と繰出ローラとの間のトルク伝達を安定的に行えるようにするとともに、繰出ローラが回転部材に対して相対的に滑る条件となる張力を安定して維持することのできる転着器のローラ支持構造を提供することにある。
【課題を解決するための手段】
【０００８】
前記目的を達成するため、本発明は、特許請求の範囲に記載した通りの構成を採用した。すなわち、本発明は、ケース内に回転可能に支持された回転部材と、この回転部材を介して回転可能に設けられるとともに、片面に転着剤を備えたロール状のテープを繰出可能に支持する繰出ローラと、前記ケース内に配置されるとともに前記支持部材の回転に連動して転着済のテープを順次巻き取る巻取ローラとを備えた転着器のローラ支持構造において、
前記回転部材は、前記繰出ローラの内周に挿入される筒状体を含み、当該筒状体の前記繰出ローラへの挿入端側に複数のスロットを設けることで前記筒状体の挿入端側を径方向に弾性変位可能な複数のばね部として形成し、
相互に隣り合うばね部の先端側は、連結部を介して相互に連結される、という構成を採っている。
【０００９】
本発明において、前記連結部は、前記回転部材を繰出ローラに挿入するときに、内側に変位若しくは屈曲可能に設けられている。
【００１０】
また、本発明は、ケース内に回転可能に支持された回転部材と、この回転部材を介して回転可能に設けられるとともに、片面に転着剤を備えたロール状のテープを繰出可能に支持する繰出ローラと、前記ケース内に配置されるとともに前記支持部材の回転に連動して転着済のテープを順次巻き取る巻取ローラとを備えた転着器のローラ支持構造において、
前記回転部材は、前記繰出ローラの内周に挿入される筒状体を含み、当該筒状体の前記繰出ローラへの挿入端側に複数の薄肉部を設けることで前記筒状体の挿入端側を径方向に弾性変位可能な複数のばね部として形成し、
相互に隣り合うばね部の先端側は、前記弱め部を介して相互に連結される、という構成を採ることもできる。
【発明の効果】
【００１１】
本発明によれば、筒状体にスロットを設けて形成されたばね部により、繰出ローラの内周を押圧して当該繰出ローラを回転部材と共に一体回転させることができる。また、ばね部を相互に連結する連結部が設けられていることで、経時的にばね部が前記押圧力を低下させてしまうといった不都合を解消することができ、これにより、テープに加えられる張力が常に一定の張力となった時点で繰出ローラが相対滑りを生じるようになる。従って、一定の張力がかかっていない状態で繰出ローラが回転部材に対して滑ってしまうという不都合もない。
また、連結部が変位可能であることで、回転部材を繰出ローラの内周に挿入する際の挿入抵抗を一時的に低下させることが容易となる。
更に、各ばね部の先端側を弱め部によって相互に連結する構成によっても、経時的にばね部が前記押圧力を低下させてしまうといった不都合を解消することができる。
【図面の簡単な説明】
【００１２】
【図１】本実施形態に係る転着器の概略平面図。
【図２】前記転着器の分解斜視図。
【図３】図１のＡ−Ａ線矢視断面図。
【図４】図３の分解断面図。
【図５】変形例に係る回転部材の概略平面図。
【図６】図５の要部概略斜視図
【発明を実施するための形態】
【００１３】
以下、本発明の実施形態を図面を参照しながら説明する。
【００１４】
図１及び図２において、転着器１０は、ケース１１と、ケース１１内に配置されるとともに、片面に転着剤を備えたテープＴを巻装してなる繰出ローラ１２と、この繰出ローラ１２に隣接する位置に設けられた巻取ローラ１３と、ケース１１と一体成形されるとともに当該ケース１１の内面から起立する第１支持部材１５と、当該第１支持部材１５の外周側に回転可能に支持されるとともに繰出ローラ１２を一体的に回転させる回転部材１６と、前記第１支持部材１５と同様にケース１１の内面から起立して巻取ローラ１３を回転可能に支持する第２支持部材１８と、繰出ローラ１２と巻取ローラ１３との間に延びるテープＴを反転させて所定の被着面に転着剤を転着させるためのヘッド１９とを備えて構成されている。なお、転着器１０を構成する各部品は、合成樹脂材によってそれぞれ形成されている。
【００１５】
前記ケース１１は、本実施形態では二分割型の皿状部材を閉塞するように相互に嵌め合わせることによって形成され、図１、図２では、第１、第２支持部材１５，１８等を内面側に一体に備えてなる一方の皿状をなす部材が示されている。このケース１１は、平面部１１Ａと、これの外周に連なって当該平面部１１Ａから起立する周壁１１Ｂと、周壁１１Ｂを部分的に設けないことで、前記ヘッド１９の先端側を外部に突出可能とする開放部１１Ｃとにより構成されている。
【００１６】
前記繰出ローラ１２は、図３及び図４に示されるように、筒体２１と、当該筒体２１の両端に設けられた一対のフランジ２２とにより構成されている。筒体２１の内周には、内径を相対的に小さくする段部２３が設けられており、当該段部２３に回転部材１６が係り合うことで、繰出ローラ１２が脱落することなく回転可能に支持される。
【００１７】
前記回転部材１６は、第１支持部材１５が内側に挿入可能な貫通穴３０を備えているとともに、前記繰出ローラ１２の筒体２１内に挿入されて当該繰出ローラ１２を回転可能に支持する筒状体３１を含む。筒状体３１には、繰出ローラ１２の筒体２１に対する挿入端側に複数のスロット３２が設けられており、これらスロット３２の存在により、挿入端側が径方向に弾性変位可能となる複数の片状をなすばね部３３として形成されている。本実施形態におけるスロット３２は、筒状体３１の軸方向において、挿入端（先端）側から略半分程度の長さを有し、周方向９０度間隔の位置に形成され、これによって、ばね部３３が４箇所に形成されるようになっている。ばね部３３の先端外周側には、爪部３４が形成されており、当該爪部３４が前記筒体２１内の段部２３の上面側に係り合うことで回転部材１６に支持された繰出ローラ１２の抜け出しが阻止されるようになっている。ここで、ばね部３３は、相互に隣り合う先端側が連結部３５を介して相互に連結されている。この連結部３５は、例えば、爪部３４の厚みと同じ厚みを有するとともに、回転部材１６を繰出ローラ１２に挿入するときに内側に変位若しくは屈曲可能となっており、これによって、ばね部３３が一時的に径方向内側に弾性変位して爪部３４が段部２３を下方から上方に乗り越えるように挿入可能となる。なお、回転部材１６を構成する筒状体３１の一端側は、フランジ状部４０が形成されており、当該フランジ状部４０の外周全域に歯４１が設けられている。この歯４１は、巻取ローラの１３の一端側外周に設けられた図示しない歯車に噛み合い可能となっている。従って、繰出ローラ１２が回転部材１６を介して回転したときに、巻取ローラ１３がこれに追従して回転し、繰出ローラ１２から繰り出されたテープＴの巻き取りが可能となる。
【００１８】
次に、本実施形態に係る転着器１０の作用について説明する。
【００１９】
繰出ローラ１２は、テープＴが巻かれた状態で回転部材１６に支持される。この作業は、繰出ローラ１２を持って回転部材１６の先端側を繰出ローラ１２の筒体２１内に挿入することによって行われる。この作業において、ばね部３３が段部２３の内周に入り込むときに、連結部３５が内側に変位若しくは屈曲することで、ばね部３３の縮径方向への撓みをもたらして当該ばね部３３が段部２３を通過することができる。そして、爪部３４が段部２３を乗り越えた時に、当該段部２３の上面側に爪部３４が引っ掛かり、このとき、連結部３５とばね部３３が初期の弾性力で拡径方向に変位し、これによって繰出ローラ１２が回転部材１６と一体回転可能に支持されるとともに、繰出ローラ１２が回転部材１６から脱落することがないように保たれる。
【００２０】
繰出ローラ１２に巻装されたテープＴは、ヘッド１９位置にて反転された状態でリード端が巻取ローラ１３に固定され、ヘッド１９の先端を被転着面に押し当てながら水平移動させることで、テープＴに引き出し力が付与され、これによって、繰出ローラ１２が回転部材１６と共に回転してテープＴが繰り出される。
【００２１】
転着が進んでテープＴの巻径に相対的な変化を生ずると、すなわち、巻取ローラ１３側のテープ巻径が相対的に大きくなると、繰出ローラ１２と巻取ローラ１３との間のテープＴの張力が増大する。そして、その張力が一定の張力を上回ったときに、繰出ローラ１２が回転部材１６に対して相対的に滑り、過大な張力を回避するようになり、これによって、テープＴの円滑な繰出しを可能として転着剤の転着を行うことが可能となる。
【００２２】
繰出ローラ１２を回転可能に支持する回転部材１６は、前述したばね部３３が繰出ローラ１２の筒体２１の内周面を押圧するばね力を付与するものであるが、通常は、各ばね部３３が常時筒体２１から受ける反圧により縮径する方向に傾いてくることにより、ばね力が経時的に低下する。しかしながら、本実施形態では、ばね部３３の先端側が連結部３５で相互に連結されているため、つまり、筒状体３１の挿入側端を正面視したときに、ばね部３３と連結部３５とで閉ループの形状となるため、連結部３５がばね部３３のばね力低下を抑制するように作用することとなる。
【００２３】
従って、このような実施例によれば、ばね部３３のばね力は経時的に低下することが回避され、常に繰出ローラ１２の筒体２１内周面に押圧力を安定して付与し続けるようになり、これにより、繰出ローラ１２が空回りしてしまうようなおそれを回避することができる。
【００２４】
以上のように、本発明を実施するための最良の構成、方法等は、前記記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上説明した実施例に対し、形状、材質、数量、位置若しくは配置等に関して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【００２５】
例えば、前記実施形態では、スロット３２が筒状体３１の先端側から軸方向略半分程度の長さに形成された場合を図示、説明したが、スロット３２は、筒状体３１の軸線方向全長に亘って形成することでもよい。また、スロット３２及びばね部３３の形成数は、必要に応じて増加、減少させることができる。
【００２６】
また、図５及び図６に示されるように、筒状体３１の周方向略９０度間隔を隔てた位置で、その上部に正面視略Ｕ字状の切除部５１を設けることで弱め部５０を形成し、これら弱め部５０が各ばね部３３間に位置して平面視で略閉ループ状に連なるようにした構成も採用可能である。弱め部５０は、繰出ローラ１２を回転部材２６に装着する際に、一時的に内側に変位若しくは屈曲変形するようになっている。具体的には、弱め部５０は、各ばね部３３を内側に傾斜させることを許容する厚みであって、前記装着を解除したときに、ばね部３３を初期位置に復帰させることができる復元力を有する厚みを備えて構成されている。その他の構成は、実質的に前記実施形態と同一である。
【符号の説明】
【００２７】
１０  転着器
１１  ケース
１２  繰出ローラ
１３  巻取ローラ
１６  回転部材
３１  筒状体
３２  スロット
３３  ばね部
３５  連結部
５０  弱め部
Ｔ  テープ
【図１】
2011104833.tif 000003
【図２】
2011104833.tif 000004
【図３】
2011104833.tif 000005
【図４】
2011104833.tif 000006
【図５】
2011104833.tif 000007
【図６】
2011104833.tif 000008